(57)【要約】【課題】サーバに予め登録されていない店舗であっても、情報を投稿しようとする使用者の入力の手間を簡易化する。【解決手段】携帯電話機１は、現在地情報を店舗情報サーバ２に送信する。店舗情報サーバ２は、携帯電話機１の現在地から所定の範囲内に存在する近隣店舗を検索して検索した近隣店舗の情報を携帯電話機１に送信し、携帯電話機１の現在地から所定の範囲内に登録済みの近隣店舗が存在しない場合に、現在地情報に対応する住所を検索して検索した住所の情報を携帯電話機１に送信する。携帯電話機１は、店舗情報サーバ２から受信した近隣店舗の情報または店舗の住所の情報を使用者に対して提示し、提示した情報に応じて使用者が入力した店舗情報を店舗情報サーバ２に送信する。店舗情報サーバ２は、携帯電話機１から受信した店舗情報を記憶する。【選択図】  図１
2011141602.tif 000002
【特許請求の範囲】
【請求項１】
携帯電話機と、この携帯電話機とネットワークを介して接続される店舗情報サーバとを有し、
前記携帯電話機は、
現在地情報を取得する現在地情報取得手段と、
前記現在地情報を前記店舗情報サーバに送信する現在地情報送信手段と、
前記店舗情報サーバから受信した近隣店舗の情報または店舗の住所の情報を使用者に対して提示する情報提示手段と、
提示した情報に応じて使用者が入力した店舗情報を前記店舗情報サーバに送信する店舗情報送信手段とを備え、
前記店舗情報サーバは、
店舗情報および地図情報を記憶する記憶手段と、
前記携帯電話機から受信した現在地情報に基づいて前記記憶手段を参照し、前記携帯電話機の現在地から所定の範囲内に存在する近隣店舗を検索して検索した近隣店舗の情報を前記携帯電話機に送信する近隣店舗検索手段と、
前記携帯電話機の現在地から所定の範囲内に登録済みの近隣店舗が存在しない場合に、前記現在地情報に基づいて前記記憶手段を参照し、前記現在地情報に対応する住所を検索して検索した住所の情報を前記携帯電話機に送信する住所情報検索手段と、
前記携帯電話機から受信した店舗情報を前記記憶手段に書き込む店舗情報登録手段とを備えることを特徴とする店舗情報収集システム。
【請求項２】
請求項１記載の店舗情報収集システムにおいて、
前記店舗情報サーバの店舗情報登録手段は、前記記憶手段に前記店舗情報を書き込む際に、前記記憶手段に記憶されている該当店舗の訪問者数を増やすことを特徴とする店舗情報収集システム。
【請求項３】
カーナビケージョン装置と、このカーナビケージョン装置と接続される通信装置と、この通信装置およびネットワークを介して前記カーナビケージョン装置と接続される店舗情報サーバとを有し、
前記カーナビケージョン装置は、
現在地情報を取得する現在地情報取得手段と、
店舗情報および地図情報を記憶する第１の記憶手段と、
前記現在地情報に基づいて前記第１の記憶手段を参照し、前記カーナビケージョン装置の現在地から所定の範囲内に存在する近隣店舗を検索して検索した近隣店舗の情報を使用者に提示する近隣店舗検索手段と、
前記カーナビケージョン装置の現在地から所定の範囲内に登録済みの近隣店舗が存在しない場合に、前記現在地情報に基づいて前記第１の記憶手段を参照し、前記現在地情報に対応する住所を検索して検索した住所の情報を使用者に提示する住所情報検索手段と、
提示した情報に応じて使用者が入力した店舗情報を前記店舗情報サーバに送信する店舗情報送信手段とを備え、
前記店舗情報サーバは、
店舗情報を記憶する第２の記憶手段と、
前記カーナビケージョン装置から受信した店舗情報を前記第２の記憶手段に書き込む店舗情報登録手段とを備えることを特徴とする店舗情報収集システム。
【請求項４】
請求項３記載の店舗情報収集システムにおいて、
前記店舗情報サーバの店舗情報登録手段は、前記第２の記憶手段に前記店舗情報を書き込む際に、前記第２の記憶手段に記憶されている該当店舗の訪問者数を増やすことを特徴とする店舗情報収集システム。
【請求項５】
請求項３または４記載の店舗情報収集システムにおいて、
前記カーナビケージョン装置は、自装置が搭載されている車両のエンジン始動に応じて処理を開始することを特徴とする店舗情報収集システム。
【請求項６】
請求項３乃至５のいずれか１項に記載の店舗情報収集システムにおいて、
前記通信装置は、携帯電話機であることを特徴とする店舗情報収集システム。
【請求項７】
携帯電話機が、現在地情報を取得する現在地情報取得ステップと、
前記携帯電話機が、前記現在地情報を店舗情報サーバに送信する現在地情報送信ステップと、
前記店舗情報サーバが、前記携帯電話機から受信した現在地情報に基づいて自装置内の記憶手段を参照し、前記携帯電話機の現在地から所定の範囲内に存在する近隣店舗を検索して検索した近隣店舗の情報を前記携帯電話機に送信する近隣店舗検索ステップと、
前記店舗情報サーバが、前記携帯電話機の現在地から所定の範囲内に登録済みの近隣店舗が存在しない場合に、前記現在地情報に基づいて前記記憶手段を参照し、前記現在地情報に対応する住所を検索して検索した住所の情報を前記携帯電話機に送信する住所情報検索ステップと、
前記携帯電話機が、前記店舗情報サーバから受信した近隣店舗の情報または店舗の住所の情報を使用者に対して提示する情報提示ステップと、
前記携帯電話機が、提示した情報に応じて使用者が入力した店舗情報を前記店舗情報サーバに送信する店舗情報送信ステップと、
前記店舗情報サーバが、前記携帯電話機から受信した店舗情報を前記記憶手段に書き込む店舗情報登録ステップとを備えることを特徴とする店舗情報収集方法。
【請求項８】
カーナビケージョン装置が、現在地情報を取得する現在地情報取得ステップと、
前記カーナビケージョン装置が、前記現在地情報に基づいて自装置内の第１の記憶手段を参照し、前記カーナビケージョン装置の現在地から所定の範囲内に存在する近隣店舗を検索して検索した近隣店舗の情報を使用者に提示する近隣店舗検索ステップと、
前記カーナビケージョン装置が、前記カーナビケージョン装置の現在地から所定の範囲内に登録済みの近隣店舗が存在しない場合に、前記現在地情報に基づいて前記第１の記憶手段を参照し、前記現在地情報に対応する住所を検索して検索した住所の情報を使用者に提示する住所情報検索ステップと、
前記カーナビケージョン装置が、提示した情報に応じて使用者が入力した店舗情報を前記店舗情報サーバに送信する店舗情報送信ステップと、
前記店舗情報サーバが、前記カーナビケージョン装置から受信した店舗情報を自装置内の第２の記憶手段に書き込む店舗情報登録ステップとを備えることを特徴とする店舗情報収集方法。
【発明の詳細な説明】
【技術分野】
【０００１】
本発明は、携帯電話機またはカーナビケージョン装置の使用者から、使用者が投稿しようとする店舗の情報を収集する店舗情報収集システムおよび店舗情報収集方法に関するものである。
【背景技術】
【０００２】
近年、インターネットの普及により、一般の使用者の投稿による飲食店情報などを扱う口コミサイトなどのサービスが多数提供されている。これらのサービスは投稿が多数あればあるほど情報の精度・信用度が増し、サービス利用者の利便性が向上する。また、サービス利用者にとっては、店舗の訪問者数といった情報も重要な情報の一つである。よってこれらサービスは使用者の投稿を増やすことが重要となる。
【０００３】
しかし、口コミサイトにおいて、店舗数が多くなればなるほど選択肢が増えるので、投稿しようとする人にとって目的の店舗を検索することは容易でない。それゆえ、一般の使用者の中には、これら口コミサイトに投稿する意思があっても、その煩雑な操作が理由で投稿を行わない者も多い。サービス提供者にとって、こういった使用者が投稿しやすい環境を作ることは重要である。
【０００４】
最近の携帯電話機では、ＧＰＳ（Global Positioning System）機能を搭載することによって現在地を簡単かつ正確に知ることができる。また、携帯電話機からのインターネット接続も一般的になっており、携帯電話機からの口コミサイトへの投稿は日常的に行われている。
また、ＧＰＳを用いた主要な装置として、カーナビゲーション装置がある。最近のカーナビゲーション装置は、道案内をするだけでなく、近隣の店舗情報なども使用者に提供することが普通になっている。
【０００５】
携帯電話機やカーナビゲーション装置を使用したシステムとして、特許文献１〜特許文献３に開示されたシステムが提案されている。
特許文献１に開示されたシステムは、車両の使用者が施設情報を投稿しようとするときに、カーナビゲーション装置が車両の現在位置情報を施設情報管理センタに送信し、施設情報管理センタが受信した現在位置情報に対応する施設を検索し、検索された施設の中から車両の使用者が該当する施設を選択して、施設に関するコメントを入力すると、この施設名および施設に関するコメントの情報をカーナビゲーション装置が施設情報管理センタに送信し、施設情報管理センタが受信した情報を記憶するようにしたものである。
【０００６】
特許文献２に開示されたシステムは、車両の使用者が口コミ情報を投稿しようとするときに、カーナビゲーション装置が車両の現在位置から所定の範囲内に存在する店舗を検索し、検索された店舗の中から車両の使用者が該当する店舗を選択して、店舗の口コミ情報を入力すると、この口コミ情報をカーナビゲーション装置が情報処理センタに送信し、情報処理センタが受信した情報を記憶するようにしたものである。
【０００７】
特許文献３に開示されたシステムは、携帯電話機の使用者が店舗情報を投稿しようとするときに、携帯電話機が現在位置情報をサーバに送信し、サーバが受信した現在位置情報に対応する店舗を検索してその周辺情報を携帯電話機に送信し、携帯電話機の使用者が所望の店舗に関するコメントを入力すると、このコメントを携帯電話機がサーバに送信し、サーバが受信した情報を記憶するようにしたものである。
【先行技術文献】
【特許文献】
【０００８】
【特許文献１】特開２００４−０４６５４７号公報
【特許文献２】特開２００６−１７８２２８号公報
【特許文献３】特開２００９−０４３００６号公報
【発明の概要】
【発明が解決しようとする課題】
【０００９】
特許文献１〜特許文献３に開示されたシステムでは、車両や携帯電話機の現在位置情報をサーバに送信するとサーバが現在位置情報に対応する店舗を検索したり、カーナビゲーション装置が車両の現在位置から所定の範囲内に存在する店舗を検索したりすることで、使用者が投稿しようとする店舗の検索を簡易化している。
しかしながら、特許文献１〜特許文献３に開示されたシステムでは、使用者がサーバやカーナビゲーション装置に登録されていない店舗について情報を投稿しようとすると、使用者が店舗の住所を入力しなければならないという問題点があった。
【００１０】
本発明は、上記課題を解決するためになされたもので、サーバに予め登録されていない店舗であっても、情報を投稿しようとする使用者の入力の手間を簡易化することができる店舗情報収集システムおよび店舗情報収集方法を提供することを目的とする。
また、本発明は、カーナビゲーション装置に予め登録されていない店舗であっても、情報を投稿しようとする使用者の入力の手間を簡易化することができる店舗情報収集システムおよび店舗情報収集方法を提供することを目的とする。
【課題を解決するための手段】
【００１１】
本発明の店舗情報収集システムは、携帯電話機と、この携帯電話機とネットワークを介して接続される店舗情報サーバとを有し、前記携帯電話機は、現在地情報を取得する現在地情報取得手段と、前記現在地情報を前記店舗情報サーバに送信する現在地情報送信手段と、前記店舗情報サーバから受信した近隣店舗の情報または店舗の住所の情報を使用者に対して提示する情報提示手段と、提示した情報に応じて使用者が入力した店舗情報を前記店舗情報サーバに送信する店舗情報送信手段とを備え、前記店舗情報サーバは、店舗情報および地図情報を記憶する記憶手段と、前記携帯電話機から受信した現在地情報に基づいて前記記憶手段を参照し、前記携帯電話機の現在地から所定の範囲内に存在する近隣店舗を検索して検索した近隣店舗の情報を前記携帯電話機に送信する近隣店舗検索手段と、前記携帯電話機の現在地から所定の範囲内に登録済みの近隣店舗が存在しない場合に、前記現在地情報に基づいて前記記憶手段を参照し、前記現在地情報に対応する住所を検索して検索した住所の情報を前記携帯電話機に送信する住所情報検索手段と、前記携帯電話機から受信した店舗情報を前記記憶手段に書き込む店舗情報登録手段とを備えることを特徴とするものである。
【００１２】
また、本発明の店舗情報収集システムは、カーナビケージョン装置と、このカーナビケージョン装置と接続される通信装置と、この通信装置およびネットワークを介して前記カーナビケージョン装置と接続される店舗情報サーバとを有し、前記カーナビケージョン装置は、現在地情報を取得する現在地情報取得手段と、店舗情報および地図情報を記憶する第１の記憶手段と、前記現在地情報に基づいて前記第１の記憶手段を参照し、前記カーナビケージョン装置の現在地から所定の範囲内に存在する近隣店舗を検索して検索した近隣店舗の情報を使用者に提示する近隣店舗検索手段と、前記カーナビケージョン装置の現在地から所定の範囲内に登録済みの近隣店舗が存在しない場合に、前記現在地情報に基づいて前記第１の記憶手段を参照し、前記現在地情報に対応する住所を検索して検索した住所の情報を使用者に提示する住所情報検索手段と、提示した情報に応じて使用者が入力した店舗情報を前記店舗情報サーバに送信する店舗情報送信手段とを備え、前記店舗情報サーバは、店舗情報を記憶する第２の記憶手段と、前記カーナビケージョン装置から受信した店舗情報を前記第２の記憶手段に書き込む店舗情報登録手段とを備えることを特徴とするものである。
【００１３】
また、本発明の店舗情報収集方法は、携帯電話機が、現在地情報を取得する現在地情報取得ステップと、前記携帯電話機が、前記現在地情報を店舗情報サーバに送信する現在地情報送信ステップと、前記店舗情報サーバが、前記携帯電話機から受信した現在地情報に基づいて自装置内の記憶手段を参照し、前記携帯電話機の現在地から所定の範囲内に存在する近隣店舗を検索して検索した近隣店舗の情報を前記携帯電話機に送信する近隣店舗検索ステップと、前記店舗情報サーバが、前記携帯電話機の現在地から所定の範囲内に登録済みの近隣店舗が存在しない場合に、前記現在地情報に基づいて前記記憶手段を参照し、前記現在地情報に対応する住所を検索して検索した住所の情報を前記携帯電話機に送信する住所情報検索ステップと、前記携帯電話機が、前記店舗情報サーバから受信した近隣店舗の情報または店舗の住所の情報を使用者に対して提示する情報提示ステップと、前記携帯電話機が、提示した情報に応じて使用者が入力した店舗情報を前記店舗情報サーバに送信する店舗情報送信ステップと、前記店舗情報サーバが、前記携帯電話機から受信した店舗情報を前記記憶手段に書き込む店舗情報登録ステップとを備えることを特徴とするものである。
【００１４】
また、本発明の店舗情報収集方法は、カーナビケージョン装置が、現在地情報を取得する現在地情報取得ステップと、前記カーナビケージョン装置が、前記現在地情報に基づいて自装置内の第１の記憶手段を参照し、前記カーナビケージョン装置の現在地から所定の範囲内に存在する近隣店舗を検索して検索した近隣店舗の情報を使用者に提示する近隣店舗検索ステップと、前記カーナビケージョン装置が、前記カーナビケージョン装置の現在地から所定の範囲内に登録済みの近隣店舗が存在しない場合に、前記現在地情報に基づいて前記第１の記憶手段を参照し、前記現在地情報に対応する住所を検索して検索した住所の情報を使用者に提示する住所情報検索ステップと、前記カーナビケージョン装置が、提示した情報に応じて使用者が入力した店舗情報を前記店舗情報サーバに送信する店舗情報送信ステップと、前記店舗情報サーバが、前記カーナビケージョン装置から受信した店舗情報を自装置内の第２の記憶手段に書き込む店舗情報登録ステップとを備えることを特徴とするものである。
【発明の効果】
【００１５】
本発明によれば、携帯電話機の使用者が店舗情報を投稿しようとする店舗が店舗情報サーバに登録されていない場合に、店舗情報サーバが携帯電話機の現在地情報に対応する住所を検索して携帯電話機に送るようにしたので、携帯電話機の使用者は店舗の住所を入力する必要がなくなり、携帯電話機の使用者の入力操作を簡易化することができる。その結果、本発明では、携帯電話機の使用者は必要最小限の操作で店舗情報サーバへの店舗情報の投稿を行うことができ、携帯電話機の使用者が店舗情報の投稿をし易くなるようにすることにより、店舗情報サーバの運用者はより多くの情報を収集することが可能となる。
【００１６】
また、本発明では、カーナビゲーション装置の使用者が店舗情報を投稿しようとする店舗がカーナビゲーション装置に登録されていない場合に、カーナビゲーション装置が現在地情報に対応する住所を検索して表示するようにしたので、カーナビゲーション装置の使用者は店舗の住所を入力する必要がなくなり、カーナビゲーション装置の使用者の入力操作を簡易化することができる。その結果、本発明では、カーナビゲーション装置の使用者は必要最小限の操作で店舗情報サーバへの店舗情報の投稿を行うことができ、カーナビゲーション装置の使用者が店舗情報の投稿をし易くなるようにすることにより、店舗情報サーバの運用者はより多くの情報を収集することが可能となる。
【図面の簡単な説明】
【００１７】
【図１】本発明の第１の実施の形態に係る店舗情報収集システムの構成を示すブロック図である。
【図２】本発明の第１の実施の形態に係る店舗情報収集システムの携帯電話機の構成を示すブロック図である。
【図３】本発明の第１の実施の形態に係る店舗情報収集システムの店舗情報サーバの構成を示すブロック図である。
【図４】本発明の第１の実施の形態に係る店舗情報収集システムの携帯電話機の動作を示すフローチャートである。
【図５】本発明の第１の実施の形態に係る店舗情報収集システムの店舗情報サーバの動作を示すフローチャートである。
【図６】本発明の第２の実施の形態に係る店舗情報収集システムの構成を示すブロック図である。
【図７】本発明の第２の実施の形態に係る店舗情報収集システムの携帯電話機の構成を示すブロック図である。
【図８】本発明の第２の実施の形態に係る店舗情報収集システムのカーナビゲーション装置の構成を示すブロック図である。
【図９】本発明の第２の実施の形態に係る店舗情報収集システムのカーナビゲーション装置の動作を示すフローチャートである。
【図１０】本発明の第２の実施の形態に係る店舗情報収集システムの店舗情報サーバの動作を示すフローチャートである。
【発明を実施するための形態】
【００１８】
［第１の実施の形態］
以下、本発明の実施の形態について図面を参照して説明する。図１は本発明の第１の実施の形態に係る店舗情報収集システムの構成を示すブロック図である。
本実施の形態の店舗情報収集システムは、携帯電話機１と、インターネットを介して店舗情報を収集および提供する店舗情報サーバ２と、インターネット３と、基地局４とから構成される。
【００１９】
図２は携帯電話機１の構成を示すブロック図である。携帯電話機１は、基地局４を介してインターネット３に接続するための送受信部１１と、携帯電話機全体を制御する制御部１２と、現在地情報を取得する現在地情報取得手段となるＧＰＳ機能部１３と、携帯電話機１の使用者に対して情報を表示する表示部１４と、携帯電話機１の使用者からの操作入力を受け付ける操作部１５とを有する。制御部１２は、現在地情報送信手段と、情報提示手段と、店舗情報送信手段とを構成している。
【００２０】
図３は店舗情報サーバ２の構成を示すブロック図である。店舗情報サーバ２は、店舗情報を記憶する店舗情報記憶部２１と、サーバ全体を制御する制御部２２と、インターネット３に接続するためのインターネット接続部２３とを有する。制御部２２は、近隣店舗検索手段と、住所情報検索手段と、店舗情報登録手段とを構成している。なお、制御部２２は、店舗情報記憶部２１に記憶されている店舗情報を閲覧したい利用者に対して、この利用者の端末に店舗情報を送信することができる。
【００２１】
店舗情報記憶部２１は、店舗毎に店舗情報を記憶している複数の個別店舗情報記憶部２１１−１〜２１１−ｎを有する。個別店舗情報記憶部２１１−１〜２１１−ｎは、店舗情報として、各店舗に固有の店舗ＩＤ、店舗名、店舗所在地（住所）、店舗訪問者数、店舗評価（点数）、店舗に関するコメントなどを店舗毎に記憶することができる。さらに、店舗情報記憶部２１は、地図情報を記憶している。
【００２２】
本実施の形態の店舗情報収集システムの動作について、図１〜図５を使用して以下に説明する。図４は携帯電話機１の動作を示すフローチャート、図５は店舗情報サーバ２の動作を示すフローチャートである。
最初に、店舗内において携帯電話機１の使用者は、携帯電話機１を操作して店舗情報サーバ２へのアクセスを指示する。携帯電話機１の送受信部１１は、基地局４およびインターネット３を介して店舗情報サーバ２にアクセスする。（図４ステップＳ４０１）。
【００２３】
店舗情報サーバ２の制御部２２は、携帯電話機１からのアクセスがあった場合（図５ステップＳ５０１においてＹＥＳ）、この携帯電話機１の情報を記憶し（ステップＳ５０２）、携帯電話機１に対して現在地情報を要求する（ステップＳ５０３）。
【００２４】
携帯電話機１の送受信部１１は、インターネット３および基地局４を介して店舗情報サーバ２からの現在地情報要求を受信すると、この現在地情報要求を制御部１２に渡す（ステップＳ４０２においてＹＥＳ）。制御部１２は、現在地情報要求を受信すると、ＧＰＳ機能部１３に現在地、すなわち携帯電話機１の所在地を測定させ（ステップＳ４０３）、ＧＰＳ機能部１３が取得した現在地情報を送受信部１１を介して店舗情報サーバ２に送信する（ステップＳ４０４）。
【００２５】
店舗情報サーバ２のインターネット接続部２３は、基地局４およびインターネット３を介して携帯電話機１からの現在地情報を受信すると、この現在地情報を制御部２２に渡す（ステップＳ５０４においてＹＥＳ）。制御部２２は、取得した現在地情報に基づいて店舗情報記憶部２１を参照し、携帯電話機１の現在地から所定の範囲内に存在する近隣店舗を検索し（ステップＳ５０５）、近隣店舗が存在する場合（ステップＳ５０６においてＹＥＳ）、この近隣店舗の情報（ここでは店舗名など）をインターネット接続部２３を介して携帯電話機１に送信する（ステップＳ５０７）。
【００２６】
また、制御部２２は、携帯電話機１の現在地から所定の範囲内に登録済みの近隣店舗が存在しない場合（ステップＳ５０６においてＮＯ）、店舗情報入力要求をインターネット接続部２３を介して携帯電話機１に送信する（ステップＳ５０８）。このとき、制御部２２は、携帯電話機１の現在地情報に基づいて店舗情報記憶部２１を参照し、現在地情報に対応する住所を検索して、検索した住所の情報を含む店舗情報入力要求を送信する。
【００２７】
携帯電話機１の送受信部１１は、インターネット３および基地局４を介して店舗情報サーバ２からの近隣店舗情報を受信すると、この近隣店舗情報を制御部１２に渡す。制御部１２は、取得した近隣店舗情報を表示部１４に表示させる（ステップＳ４０５においてＹＥＳ）。携帯電話機１の使用者は、表示された近隣店舗情報を見て、投稿したい店舗が含まれている場合（ステップＳ４０６においてＹＥＳ）、投稿したい店舗を選択する（ステップＳ４０７）。この選択に応じて携帯電話機１の制御部１２は、選択された店舗の情報（店舗名など）を送受信部１１を介して店舗情報サーバ２に送信する（ステップＳ４０８）。
【００２８】
店舗情報サーバ２のインターネット接続部２３は、基地局４およびインターネット３を介して携帯電話機１からの店舗情報を受信すると、この店舗情報を制御部２２に渡す（ステップＳ５０９においてＹＥＳ）。制御部２２は、該当する個別店舗情報記憶部２１１−１〜２１１−ｎに店舗情報を書き込む（ステップＳ５１０）。ここでは、制御部２２は、既に存在する店舗情報を上書きすることになる。
【００２９】
一方、携帯電話機１の送受信部１１は、インターネット３および基地局４を介して店舗情報サーバ２からの店舗情報入力要求を受信すると（ステップＳ４０９においてＹＥＳ）、この店舗情報入力要求を制御部１２に渡す。制御部１２は、取得した店舗情報入力要求に含まれる住所を表示部１４に表示させる（ステップＳ４１０）。携帯電話機１の使用者は、表示された住所を見て問題なければ、投稿したい店舗の情報（店舗名など）を入力する（ステップＳ４１１）。制御部１２は、入力された店舗情報を送受信部１１を介して店舗情報サーバ２に送信する（ステップＳ４０８）。
【００３０】
店舗情報サーバ２のインターネット接続部２３は、基地局４およびインターネット３を介して携帯電話機１からの店舗情報を受信すると、この店舗情報を制御部２２に渡す（ステップＳ５０９においてＹＥＳ）。ここでは、制御部２２は、店舗情報記憶部２１に存在しなかった店舗情報を書き込むことになるので、店舗情報記憶部２１に新たなエントリ（個別店舗情報記憶部２１１）を作成して、携帯電話機１から取得した店舗情報とステップＳ５０８で取得した店舗の住所とを書き込む（ステップＳ５１０）。
【００３１】
また、携帯電話機１の使用者は、ステップＳ４０６において表示された近隣店舗情報に投稿したい店舗が含まれていない場合、該当店舗無しの回答を携帯電話機１に入力する。この入力に応じて携帯電話機１の制御部１２は、入力補助要求を送受信部１１を介して店舗情報サーバ２に送信する（ステップＳ４１２）。
【００３２】
店舗情報サーバ２のインターネット接続部２３は、基地局４およびインターネット３を介して携帯電話機１からの入力補助要求を受信すると、この入力補助要求を制御部２２に渡す（ステップＳ５１１においてＹＥＳ）。制御部２２は、入力補助要求を受信すると、携帯電話機１の現在地情報に基づいて店舗情報記憶部２１を参照し、現在地情報に対応する住所を検索して、この住所の情報をインターネット接続部２３を介して携帯電話機１に送信する（ステップＳ５１２）。
【００３３】
携帯電話機１の送受信部１１は、インターネット３および基地局４を介して店舗情報サーバ２からの住所情報を受信すると（ステップＳ４１３においてＹＥＳ）、この住所情報を制御部１２に渡す。制御部１２は、取得した住所情報を表示部１４に表示させる（ステップＳ４１０）。携帯電話機１の使用者は、表示された住所を見て問題なければ、投稿したい店舗の情報（店舗名など）を入力する（ステップＳ４１１）。制御部１２は、入力された店舗情報を送受信部１１を介して店舗情報サーバ２に送信する（ステップＳ４０８）。
【００３４】
店舗情報サーバ２のインターネット接続部２３は、基地局４およびインターネット３を介して携帯電話機１からの店舗情報を受信すると、この店舗情報を制御部２２に渡す（ステップＳ５０９においてＹＥＳ）。ここでは、制御部２２は、店舗情報記憶部２１に存在しなかった店舗情報を書き込むことになるので、店舗情報記憶部２１に新たなエントリを作成して、携帯電話機１から取得した店舗情報とステップＳ５１２で取得した店舗の住所とを書き込む（ステップＳ５１０）。
【００３５】
次に、店舗情報サーバ２の制御部２２は、ステップＳ５１０の処理後、携帯電話機１から受信した店舗情報に基づいて店舗情報記憶部２１を参照し、店舗情報に該当する個別店舗情報記憶部２１１−１〜２１１−ｎに記憶されている店舗訪問者数を１増やす（ステップＳ５１３）。続いて、制御部２２は、携帯電話機１に対して店舗評価や店舗に関するコメントなどの店舗詳細情報を要求する（ステップＳ５１４）。
【００３６】
携帯電話機１の送受信部１１は、インターネット３および基地局４を介して店舗情報サーバ２からの店舗詳細情報要求を受信すると、この店舗詳細情報要求を制御部１２に渡す（ステップＳ４１４においてＹＥＳ）。制御部１２は、携帯電話機１の使用者に対して店舗詳細情報の入力を促すメッセージを表示部１４に表示させる。携帯電話機１の使用者は、店舗詳細情報を入力する（ステップＳ４１５）。制御部１２は、入力された店舗詳細情報を送受信部１１を介して店舗情報サーバ２に送信する（ステップＳ４１６）。
【００３７】
店舗情報サーバ２のインターネット接続部２３は、基地局４およびインターネット３を介して携帯電話機１からの店舗詳細情報を受信すると、この店舗詳細情報を制御部２２に渡す（ステップＳ５１５においてＹＥＳ）。制御部２２は、店舗詳細情報を受信すると、該当する個別店舗情報記憶部２１１−１〜２１１−ｎに店舗詳細情報を書き込む（ステップＳ５１６）。なお、店舗詳細情報は、上書きされることなく、個別店舗情報記憶部２１１−１〜２１１−ｎに追記されていく。
【００３８】
携帯電話機１の使用者は、入力が終了すると、入力終了操作を行い（ステップＳ４１７においてＹＥＳ）、携帯電話機１の制御部１２は、入力終了操作に応じて店舗情報サーバ２との接続を切断する（ステップＳ４１８）。これで、図４に示した携帯電話機１の処理が終了する。
店舗情報サーバ２の制御部２２は、携帯電話機１との接続が終了した時点で、図５の処理を終了する（ステップＳ５１７）。
【００３９】
以上のように、本実施の形態によれば、携帯電話機１の使用者は、必要最小限の操作で店舗情報サーバ２への店舗情報の投稿を行うことができる。本実施の形態では、携帯電話機１の使用者が店舗情報の投稿をし易くなるようにすることにより、店舗情報サーバ２の運用者はより多くの情報を収集することが可能となる。より多くの情報によって作られた店舗情報は、情報の精度・信用度を増すので、投稿を閲覧したいサーバ利用者の利便性を向上させることが可能となる。また、本実施の形態では、携帯電話機１の使用者が店舗情報を投稿しようとする店舗が店舗情報サーバ２に登録されていない場合、店舗情報サーバ２が携帯電話機１の現在地情報に対応する住所を検索して携帯電話機１に送るようにしたので、携帯電話機１の使用者は店舗の住所を入力する必要がなくなり、携帯電話機１の使用者の入力操作を簡易化することができる。
【００４０】
なお、本実施の形態において、携帯電話機１の使用者が店舗情報を入力しなかった場合でも、別途コンピュータ等を使用して店舗情報を編集できるようにしてもよい。
【００４１】
［第２の実施の形態］
次に、本発明の第２の実施の形態について説明する。本実施の形態は、ＧＰＳ機能を持つ機器としてカーナビケージョン装置を用いるものである。図６は本実施の形態の店舗情報収集システムの構成を示すブロック図である。
本実施の形態の店舗情報収集システムは、携帯電話機１ａと、店舗情報サーバ２と、インターネット３と、基地局４と、カーナビゲーション装置（カーナビ）５とから構成される。本実施の形態では、第１の実施の形態に対して携帯電話機１ａに接続されたカーナビケージョン装置５が追加されている。
【００４２】
図７は携帯電話機１ａの構成を示すブロック図である。本実施の形態の携帯電話機１ａは、第１の実施の形態の携帯電話機１に対して、カーナビゲーション装置５と接続して通信を行うカーナビ接続部１６を追加したものである。
店舗情報サーバ２の構成は、第１の実施の形態と同様である。
【００４３】
図８はカーナビゲーション装置５の構成を示すブロック図である。カーナビゲーション装置５は、携帯電話機１ａと接続して通信を行う携帯電話機接続部５１と、カーナビゲーション装置全体を制御する制御部５２と、現在地情報を取得する現在地情報取得手段となるＧＰＳ機能部５３と、カーナビゲーション装置内部で使用する店舗情報を記憶する店舗情報記憶部５４と、カーナビゲーション装置５の電源オフ時刻を記憶する電源オフ時刻記憶部５５と、カーナビゲーション装置５の使用者に対して情報を表示する表示部５６と、使用者からの操作入力を受け付ける操作部５７とを有する。制御部５２は、近隣店舗検索手段と、住所情報検索手段と、店舗情報送信手段とを構成している。
【００４４】
本実施の形態の店舗情報収集システムの動作について、図９〜図１０を使用して以下に説明する。図９はカーナビゲーション装置５の動作を示すフローチャート、図１０は店舗情報サーバ２の動作を示すフローチャートである。
まず、カーナビゲーション装置５が搭載されている車両のエンジン停止と同時にカーナビゲーション装置５の電源がオフされる（図８ステップＳ８０１）。このとき、カーナビゲーション装置５の制御部５２は、電源オフの時刻を電源オフ時刻記憶部５５に記憶させる（ステップＳ８０２）。
【００４５】
次に、車両のエンジンオンと同時にカーナビゲーション装置５の電源がオンとなる（ステップＳ８０３においてＹＥＳ）。カーナビゲーション装置５の制御部５２は、ＧＰＳ機能部５３に現在地、すなわちカーナビゲーション装置５を搭載している車両の所在地を測定させる（ステップＳ８０４）。続いて、制御部５２は、電源オフ時刻記憶部５５に記憶された電源オフ時刻から現在までの経過時間を計算し、一定時間以上経過していれば（ステップＳ８０５においてＹＥＳ）、ステップＳ８０４で取得した現在地情報に基づいて店舗情報記憶部５４を参照し、現在地から所定の範囲内に存在する近隣店舗を検索する（ステップＳ８０６）。なお、一定時間は、例えば食事などに要すると考えられる時間に設定しておけばよい。
【００４６】
制御部５２は、近隣店舗が存在する場合（ステップＳ８０７においてＹＥＳ）、この近隣店舗の情報（ここでは、店舗名など）を表示部５６に表示させる（ステップＳ８０８）。カーナビゲーション装置５の使用者は、表示された近隣店舗情報を見て、投稿したい店舗が含まれている場合（ステップＳ８０９においてＹＥＳ）、投稿したい店舗を選択する（ステップＳ８１０）。
【００４７】
また、カーナビゲーション装置５の使用者は、表示された近隣店舗情報に投稿したい店舗が含まれていない場合、該当店舗無しの回答をカーナビゲーション装置５に入力する（ステップＳ８１１）。この入力に応じてカーナビゲーション装置５の制御部５２は、現在地情報に基づいて店舗情報記憶部５４を参照し、現在地情報に対応する住所を検索して、この住所の情報を表示部５６に表示させる（ステップＳ８１２）。使用者は、表示された住所を見て問題なければ、投稿したい店舗の情報（店舗名など）を入力する（ステップＳ８１３）。
【００４８】
また、カーナビゲーション装置５の制御部５２は、ステップＳ８０７において現在地から所定の範囲内に登録済みの近隣店舗が存在しない場合（ステップＳ８０７においてＮＯ）、店舗情報の入力を要求するメッセージを表示部５６に表示させ（ステップＳ８１４）、現在地情報に基づいて店舗情報記憶部５４を参照し、現在地情報に対応する住所を検索して、この住所の情報を表示部５６に表示させる（ステップＳ８１２）。カーナビゲーション装置５の使用者は、表示された住所を見て問題なければ、投稿したい店舗の情報（店舗名など）を入力する（ステップＳ８１３）。
【００４９】
ステップＳ８１０またはステップＳ８１３の処理終了後、カーナビゲーション装置５の制御部５２は、店舗評価や店舗に関するコメントなどの店舗詳細情報が入力されたかどうかを確認する（ステップＳ８１５）。カーナビゲーション装置５の使用者が店舗詳細情報を入力すると（ステップＳ８１６）、入力終了となる（ステップＳ８１７）。入力終了後、制御部５２は、携帯電話機１ａを介して店舗情報サーバ２にアクセスする（ステップＳ８１８）。そして、制御部５２は、店舗情報サーバ２と接続後、店舗名と住所と店舗評価と店舗に関するコメントとを含む店舗情報を携帯電話機１ａを介して店舗情報サーバ２に送信する（ステップＳ８１９）。
【００５０】
店舗情報サーバ２のインターネット接続部２３は、カーナビゲーション装置５からのアクセスがあり（図１０ステップＳ９０１においてＹＥＳ）、カーナビゲーション装置５から店舗情報を受信した場合（ステップＳ９０２においてＹＥＳ）、受信した店舗情報を店舗情報記憶部２１に書き込む（ステップＳ９０３）。このとき、制御部２２は、受信した店舗情報に該当する個別店舗情報記憶部２１１−１〜２１１−ｎが存在する場合には、該当する個別店舗情報記憶部２１１−１〜２１１−ｎに店舗情報を書き込む。店舗情報のうち、店舗評価や店舗に関するコメントなどの店舗詳細情報は、上書きされることなく、個別店舗情報記憶部２１１−１〜２１１−ｎに追記されていく。また、制御部２２は、店舗情報記憶部２１に存在しなかった店舗の情報を書き込む場合には、店舗情報記憶部２１に新たなエントリ（個別店舗情報記憶部２１１）を作成して、店舗情報を書き込むことになる。
【００５１】
そして、制御部２２は、受信した店舗情報に該当する個別店舗情報記憶部２１１−１〜２１１−ｎに記憶されている店舗訪問者数を１増やす（ステップＳ９０４）。
カーナビゲーション装置５の使用者は、入力が終了すると、入力終了操作を行い、カーナビゲーション装置５の制御部５２は、入力終了操作に応じて店舗情報サーバ２との接続を切断する（ステップＳ８２０）。これで、図９に示したカーナビゲーション装置５の処理が終了する。
店舗情報サーバ２の制御部２２は、カーナビゲーション装置５との接続が終了した時点で、図１０の処理を終了する（ステップＳ９０５）。
【００５２】
本実施の形態では、カーナビゲーション装置５の使用者が店舗情報を投稿しようとする店舗がカーナビゲーション装置５に登録されていない場合、カーナビゲーション装置５が現在地情報に対応する住所を検索して表示するようにしたので、カーナビゲーション装置５の使用者は店舗の住所を入力する必要がなくなり、カーナビゲーション装置５の使用者の入力操作を簡易化することができる。また、本実施の形態では、カーナビゲーション装置５の使用者は、車両のエンジンオフ／オンをするだけで、登録すべき店舗の情報候補を確認することができるため、店舗情報サーバ２への情報の投稿が著しく容易になる。
【００５３】
なお、第２の実施の形態において、カーナビゲーション装置５の電源がオンになった後すぐに店舗情報サーバ２に接続し、第１の実施の形態の携帯電話機１と同様の処理を行うようにしてもよい。
また、第１、第２の実施の形態において、店舗情報サーバ２の制御部５２は、既に登録済みの店舗の住所と現在地情報が示す住所との間に違いがあった場合、現在地情報が示す住所を店舗の駐車場の住所として、該当する個別店舗情報記憶部２１１−１〜２１１−ｎに書き込むようにしてもよい。自動車で店舗を訪問する際に駐車場は必要不可欠であり、駐車場の住所の情報は、投稿を閲覧したいサーバ利用者が求める情報の１つでもある。
【００５４】
第１、第２の実施の形態の携帯電話機１，１ａの制御部１２、店舗情報サーバ２の制御部２２、カーナビゲーション装置５の制御部５２の各々は、それぞれＣＰＵ、メモリおよび外部とのインタフェースを備えたコンピュータと、これらのハードウェア資源を制御するプログラムによって実現することができる。各制御部のＣＰＵは、メモリに格納されたプログラムに従って第１、第２の実施の形態で説明した処理を実行する。
【産業上の利用可能性】
【００５５】
本発明は、携帯電話機またはカーナビケージョン装置の使用者から、使用者が投稿しようとする店舗の情報を収集する技術に適用することができる。
【符号の説明】
【００５６】
１，１ａ…携帯電話機、２…店舗情報サーバ、３…インターネット、４…基地局、５…カーナビゲーション装置、１１…送受信部、１２…制御部、１３…ＧＰＳ機能部、１４…表示部、１５…操作部、１６…カーナビ接続部、２１…店舗情報記憶部、２２…制御部、２３…インターネット接続部、５１…携帯電話機接続部、５２…制御部、５３…ＧＰＳ機能部、５４…店舗情報記憶部、５５…電源オフ時刻記憶部、５６…表示部、５７…操作部、２１１−１〜２１１−ｎ…個別店舗情報記憶部。
【図１】
2011141602.tif 000003
【図２】
2011141602.tif 000004
【図３】
2011141602.tif 000005
【図４】
2011141602.tif 000006
【図５】
2011141602.tif 000007
【図６】
2011141602.tif 000008
【図７】
2011141602.tif 000009
【図８】
2011141602.tif 000010
【図９】
2011141602.tif 000011
【図１０】
2011141602.tif 000012